(57)【要約】【課題】シール部材の接触面積を確保し、気密性の向上したディスク装置を提供する。【解決手段】実施形態によれば、ディスク装置は、底壁と側壁１３ａ、１３ｂとを有するベース１２と、天井板１４ａとこの天井板の周縁に沿って設けられた側板１４ｂ、１４ｃとを有し、天井板が側壁にねじ止めされ、前記側板が前記側壁の外面に対向するカバー１４と、天井板上に設けられた板状のダンパー１４と、底壁に回転自在に設けられた記録媒体と、を備えている。ベースの側壁は、記録媒体に隣接する第１部分と、この第１部分から側壁の外側に突出する突出部５０ａと、を有し、カバーの側板は、突出部を除いて、ベースの側壁に対向している。【選択図】図１
2018160299.tif 000002
【特許請求の範囲】
【請求項１】
底壁と、前記底壁の周縁部に沿って設けられた側壁と、を備えるベースと、  
天井板とこの天井板の周縁に沿って設けられた側板とを有し、前記天井板が前記側壁に固定され、前記側板が前記側壁の外面に対向するカバーと、
前記天井板上に設けられた板状のダンパーと、
前記底壁に回転自在に設けられた記録媒体と、を備え、
前記ベースの側壁は、前記記録媒体に隣接する第１部分と、この第１部分から前記側壁の外側に突出する突出部と、を有し、前記カバーの側板は、前記突出部を除いて、前記側壁の外面に対向しているディスク装置。
【請求項２】
前記カバーは、前記側板に形成され前記突出部を収容した開口部を有し、
前記ベースの側壁は、互いに対向する一対の長辺壁と互いに対向する一対の短辺壁とを含み、少なくとも一方の長辺壁は、前記突出部を有している請求項１に記載のディスク装置。
【請求項３】
前記一対の長辺壁の各々は、前記突出部を有し、前記カバーは、前記側板に形成され前記突出部をそれぞれ収容した一対の開口部を有している請求項２に記載のディスク装置。
【請求項４】
前記底壁は、長手方向および長手方向と直交する幅方向を有し、前記一対の長辺壁の前記突出部は、前記記録媒体の中心を通り前記側壁の幅方向に平行な直線上に設けられている請求項２又は３に記載のディスク装置。
【請求項５】
前記側板の長手方向に沿った前記開口部の幅は、２０ｍｍ以下に形成されている請求項３に記載のディスク装置。
【請求項６】
前記カバーの前記天井板と前記側壁の上端面との間に挟持されたシール部材を更に備え、前記シール部材は、前記側壁の上端面に沿って延びる枠状に形成され、前記突出部に沿って外側に屈曲あるいは湾曲した湾曲部を有している請求項１から５のいずれか１項に記載のディスク装置。
【請求項７】
前記ダンパーは、前記シール部材に重ねて配置された側縁部を有している請求項６に記載のディスク装置。
【請求項８】
前記ダンパーは、前記開口部に隣接して配置された側縁部を有し、前記側縁部は、前記天井板の辺に沿って延びる長さを有し、前記側縁部の長さは、前記開口部の幅よりも長い請求項２から５のいずれか１項に記載のディスク装置。
【請求項９】
前記カバーの前記天井板と前記側壁の上端面との間に挟持されたシール部材を更に備え、前記ダンパーは、前記開口部の近傍において、前記シール部材と平行に設けられた側縁部を有している請求項２から５のいずれか１項に記載のディスク装置。
【請求項１０】
前記カバーの天井板は、前記ベース側に凹んでいるとともに前記記録媒体に対向する凹部を有し、前記ダンパーは、前記凹部内に設けられている請求項９に記載のディスク装置。
【請求項１１】
前記シール部材は、前記突出部に沿って外側に湾曲した湾曲部を有し、
前記ダンパーは、前記開口部の近傍において、前記シール部材と平行に設けられた側縁部を有し、前記側縁部の一部は、前記シール部材の湾曲部と同心の円弧状に形成されている請求項１０に記載のディスク装置。
【請求項１２】
前記凹部は、前記シール部材の湾曲部と同心の円弧状に形成された絞り側縁部を有している請求項１１に記載のディスク装置。
【請求項１３】
前記記録媒体に対してデータを磁気的にリードまたはライトするヘッドと、
前記ヘッドを前記記録媒体に対して移動可能に支持するキャリッジアッセンブリと、
前記キャリッジアッセンブリをラッチするラッチ機構と、を更に備え、 
前記ベースの側壁は、前記ラッチ機構に隣接して位置する第２部分と、この第２部分から前記側壁の外側に突出する第２突出部と、を有し、
前記カバーの側板は、前記第２突出部を収容する第２開口部を有している請求項１に記載のディスク装置。
【請求項１４】
前記記録媒体に対してデータを磁気的にリードまたはライトするヘッドと、
前記ヘッドを前記記録媒体から離間した位置に保持するランプロード機構と、を更に備え、前記ベースの側壁は、前記ランプロード機構に隣接して位置する第３部分と、この第３部分から前記側壁の外側に突出する第３突出部と、を有し、
前記カバーの側板は、前記第３突出部を収容する第３開口部を有している請求項１に記載のディスク装置。
【請求項１５】
底壁と、前記底壁の周縁部に沿って設けられた側壁と、を備えるベースと、  
天井板とこの天井板の周縁に沿って設けられた側板とを有し、前記天井板が前記側壁に固定され、前記側板が前記側壁の外面に対向するカバーと、
前記天井板上に設けられた板状のダンパーと、
前記底壁に回転自在に設けられた記録媒体と、を備え、
前記ベースの側壁は、互いに対向する一対の長辺壁と互いに対向する一対の短辺壁とを含み、少なくとも一方の長辺壁は、前記長辺壁の外側に突出する突出部を有し、前記カバーの側板は、前記突出部を除いて、前記側壁の外面に対向しているディスク装置。
【発明の詳細な説明】
【技術分野】
【０００１】
この発明の実施形態は、ディスク装置に関する。
【背景技術】
【０００２】
ディスク装置として機能するハードディスクドライブ（ＨＤＤ）は、矩形状の筐体と、この筐体内に配置されたディスク状の記録媒体（磁気ディスク）と、筐体内に配設され、記録媒体に対してデータのリード／ライトを行う磁気ヘッドと、を備えている。筐体は、矩形状のベースと、ベースにねじ止めされた板状のトップカバーと、ベースの周縁部とトップカバーとの間に配置されたパッキン部材（ガスケット）と、を備えている。  
このようなＨＤＤにおいて、ベースの側壁の内、磁気ディスクに隣接する部分は、寸法の制約から壁厚を薄くしている。特に、装置高さの高いＨＤＤでは、壁厚が薄く高さの高い側壁となる。そのため、このような側壁を有するベースをアルミニウム等によりダイキャスト成型する際、湯流れの観点で不利が生じる。また、壁厚が薄い所では、ガスケットと接触する面の幅を十分に確保することが困難となり、気密性保持の点でも不利となり易い。
【先行技術文献】
【特許文献】
【０００３】
【特許文献１】米国特許出願公開第２０１１／０２７３８２７号明細書
【特許文献２】特開平１０−１４４０６９号公報
【特許文献３】実開昭６３−０８７６９８号公報
【発明の概要】
【発明が解決しようとする課題】
【０００４】
この発明の実施形態の課題は、シール部材の接触面積を確保し、気密性の向上したディスク装置を提供することにある。
【課題を解決するための手段】
【０００５】
実施形態によれば、ディスク装置は、底壁と、前記底壁の周縁部に沿って設けられた側壁と、を備えるベースと、天井板と、前記天井板の周縁に沿って設けられた側板とを有し、前記天井板が前記側壁に固定され、前記側板が前記側壁の外面に対向するカバーと、前記天井板上に設けられたダンパーと、前記ベースの底壁に回転自在に設けられた記録媒体と、を備えている。前記ベースの側壁は、前記記録媒体に隣接する第１部分と、この第１部分から前記側壁の外側に突出する突出部と、を有し、前記カバーの前記側板は、前記突出部を除いて前記側壁の外面に対向している。
【図面の簡単な説明】
【０００６】
【図１】図１は、第１の実施形態に係るハードディスクドライブ（ＨＤＤ）を示す斜視図。
【図２】図２は、前記ＨＤＤを分解して示すＨＤＤの分解斜視図。
【図３Ａ】図３Ａは、前記ＨＤＤのトップカバーの裏面側を示す斜視図。
【図３Ｂ】図３Ｂは、前記トップカバーおよびガスケットを示す分解斜視図。
【図４】図４は、図１の線Ａ−Ａに沿った前記ＨＤＤの断面図。
【図５】図５は、図１の線Ｂ−Ｂに沿った前記ＨＤＤの断面図。
【図６】図６は、前記ＨＤＤの内部構造を示すＨＤＤの平面図。
【図７】図７は、前記トップカバーの切欠部分を拡大して示す斜視図。
【図８】図８は、前記ＨＤＤのベースの突出部を示す平面図。
【図９】図９は、前記ＨＤＤの筐体の一部を拡大して示す斜視図。
【図１０】図１０は、第２の実施形態に係るＨＤＤを示す斜視図。
【図１１】図１１は、第２の実施形態に係るＨＤＤの一部を拡大して示す斜視図。
【図１２】図１２は、第３の実施形態に係るＨＤＤを示す斜視図。
【図１３】図１３は、第３の実施形態に係るＨＤＤを示す分解斜視図。
【図１４】図１４は、第４の実施形態に係るＨＤＤを示す斜視図。
【発明を実施するための形態】
【０００７】
以下図面を参照しながら、実施形態に係るディスク装置ついて説明する。  
なお、開示はあくまで一例にすぎず、当業者において、発明の主旨を保っての適宜変更であって容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００８】
（第１の実施形態）  
ディスク装置として、第１の実施形態に係るハードディスクドライブ（ＨＤＤ）について詳細に説明する。  
図１は、第１の実施形態に係るＨＤＤを示す斜視図、図２は、ＨＤＤを分解して示す分解斜視図である。  
本実施形態では、直径約２．５インチ（６３．５mm）の磁気ディスクを内蔵する２．５インチ型のＨＤＤの例を示している。図１および図２に示すように、ＨＤＤは、偏平な矩形状の筐体１０を備えている。筐体１０は、上面の開口した矩形箱状のベース１２と、矩形板状のトップカバー１４と、を有している。トップカバー１４は、複数のねじ１７によりベース１２にねじ止めされ、ベース１２の上開口を閉塞している。また、トップカバー１４には、金属板で構成されたダンパー７０が貼り付けられている。
【０００９】
ベース１２は、矩形状の底壁１２ａと、底壁１２ａの周縁に沿って設けられた側壁１２ｂとを有し、アルミニウム、ステンレス等の金属材料により、一体に成形されている。ベース１２の側壁１２ｂは、互いに対向する一対の長辺壁１３ａと、互いに対向した一対の短辺壁１３ｂとを含んでいる。側壁１２ｂの上端部の外面に、全周に亘って収容溝１５が形成されている。
【００１０】
トップカバー１４は、例えば、０．４５ｍｍ厚の金属板をプレス成形することにより、ベース１２の底壁１２ａとほぼ等しい寸法の矩形蓋状に形成されている。トップカバー１４は、矩形状の天井板１４ａと、天井板１４ａの各側縁部をベース１２側にほぼ直角に折曲げて形成された一対の長側板１４ｂおよび一対の短側板１４ｃとで構成されている。各側板１４ｂ、１４ｃの高さは、ベース１２の側壁１２ｂの高さの半分以下に形成されている。
【００１１】
天井板１４ａの４つのコーナ部、および一対の長辺側の側縁の中央から一方の短辺壁１３ｂ側に僅かにずれた位置に、それぞれ透孔１８が形成されている。トップカバー１４は、各透孔１８に挿通されたねじ１７をベース１２の側壁１２ｂに形成されたねじ孔にねじ込むことによりベース１２の側壁１２ｂに締結されている。すなわち、トップカバー１４は、ベース１２に対して、各短辺壁１３ｂの長手方向の両端部、および各長辺壁１３ａの長手方向のほぼ中央部に、それぞれねじ１７により、ねじ止めされている。トップカバー１４の長側板１４ｂおよび短側板１４ｃは、側壁１２ｂの収容溝１５内に配置される。
【００１２】
図３Ａはトップカバー１４の内面側を示す斜視図、図３Ｂはトップカバー１４とガスケット（パッキング部材）を示す分解斜視図である。  
図２、図３Ａ、図３Ｂに示すように、ベース１２の側壁１２ｂの上端面とトップカバー１４の天井板１４ａの内面との間に、枠状のガスケット（パッキン部材 or シール部材）２０が挟まれている。このガスケット２０は、例えば、合成樹脂で形成され、トップカバー１４の内面に塗布あるいは接着されている。ガスケット２０の高さ（厚さ）は、トップカバー１４とベース１２との隙間よりも大きめとなっている。図４は、図１の線Ａ−Ａに沿ったＨＤＤの断面図、図５は、図１の線Ｂ−Ｂに沿ったＨＤＤの断面図である。図４および図５に示すように、トップカバー１４をベース１２にねじ締めすると、ガスケット２０はトップカバー１４とベース１２の側壁１２ｂとに挟まれて圧縮され、筐体１０内部の気密性を保持する。
【００１３】
図６は、ＨＤＤの内部構造を示す平面図である。図２および図６に示すように、筐体１０内には、記録媒体として、例えば、１枚の磁気ディスク１６、および磁気ディスク１６を支持および回転させる駆動部としてのスピンドルモータ２３が設けられている。スピンドルモータ２３は、底壁１２ａ上に配設されている。磁気ディスク１６は、例えば、直径約２．５インチ（６３．５mm）に形成され、その一面（上面）および他面（下面）に磁気記録層（磁気記録面）を有している。なお、２．５インチの磁気ディスクとは、直径６３．５mmの磁気ディスクに限らず、直径６５mmあるいはそれ以上の直径を有する磁気ディスクを含んでいるものとする。磁気ディスク１６は、スピンドルモータ２３の図示しないハブに互いに同軸的に嵌合されているとともにクランプばね２７によりクランプされ、ハブに固定されている。これにより、磁気ディスク１６は、ベース１２の底壁１２ａと平行に位置した状態に支持されている。磁気ディスク１６は、スピンドルモータ２３により所定の速度で回転される。また、筐体１０内において、磁気ディスク１６は、ベース１２の長手方向の中心よりも、一方の短辺壁１３ｂ側にずれて配置されている。これにより、磁気ディスク１６は、一方の短辺壁１３ｂに隣接しているとともに、他方の短辺壁１３ｂから離間している。
【００１４】
筐体１０内に、磁気ディスク１６に対してデータのリード／ライトを行なう複数の磁気ヘッド１９、これらの磁気ヘッド１９を磁気ディスク１６に対して移動自在に支持したキャリッジアッセンブリ２２が設けられている。また、筐体１０内に、キャリッジアッセンブリ２２を回動および位置決めするボイスコイルモータ（以下ＶＣＭと称する）２４、磁気ヘッド１９が磁気ディスク１６の最外周に移動した際、磁気ヘッド１９を磁気ディスク１６から離間したアンロード位置に保持するランプロード機構２５、ＨＤＤに衝撃等が作用した際、キャリッジアッセンブリ２２を退避位置に保持するラッチ機構２６、および変換コネクタ等の電子部品が実装されたフレキシブルプリント回路基板（ＦＰＣ）ユニット２１が設けられている。これらのキャリッジアッセンブリ２２、ＶＣＭ２４、ランプロード機構２５、ラッチ機構２６、ＦＰＣユニット２１は、ベース１２内において、磁気ディスク１６と他方の短辺壁１３ｂとの間のスペースに配置されている。
【００１５】
本実施形態によれば、筐体１０のベース１２の少なくとも一方の長辺壁１３ａ、ここでは、両方の長辺壁１３ａは、磁気ディスク１６の外周縁に隣接して位置する第１部分と、この第１部分から側壁の外側に突出あるいは膨出する突出部５０ａとをそれぞれ一体に有している。トップカバー１４の各長側板１４ｂは、突出部５０ａを収容する切欠きあるいは開口部６０ａを有している。  
図７は、トップカバー１４の開口部６０ａ部分を示す斜視図、図８は、ベース１２の突出部５０ａの部分を示す平面図、図９は、突出部５０ａおよび開口部６０ａを示す斜視図である。図１、図２、図６、図８に示すように、ベース１２の各長辺壁１３ａは、磁気ディスク１６の外周縁に隣接する第１部分と、この第１部分に設けられた突出部５０ａと、を一体に有している。なお、本実施形態において、隣接とは、１ｍｍ前後の僅かな隙間を置いて、磁気ディスク１６の外周縁に対向している状態を示している。突出部５０ａは長辺壁１３ａの外側面から外側に突出あるいは膨出している。長辺壁１３ａの高さ方向において、突出部５０ａは長辺壁１３ａの上端側に設けられ、長辺壁１３ａの上端面と面一に形成されている。突出部５０ａの厚さは、トップカバー１４の長側板１４ｂの高さよりも大きく、かつ、長辺壁１３ａの高さの半分以下に形成されている。
【００１６】
前述したように、ベース１２は矩形状に形成され、長辺壁１３ａと平行な長手方向と、短辺壁１３ｂと平行な幅方向と、を有している。図６および図８に示すように、一対の長辺壁１３ａに設けられた２つの突出部５０ａは、磁気ディスク１６の中心を通りベース１２の短辺壁１３ｂに平行な直線Ｃと交わる位置に設けられている。本実施形態では、各突出部５０ａは、直線Ｃを中心として直線Ｃの両側に等距離だけ延在するように形成されている。長辺壁１３ａの長手方向に沿った突出部５０ａの長さＬは、例えば、１６ｍｍ程度としている。
【００１７】
各突出部５０ａの膨出量（突出高さ）は、突出部５０ａがトップカバー１４の天井板１４ａの長辺側縁を越えて延出するように設定され、また、２つの突出部５０ａ間の幅Ｗ（ベース１２の最大幅）（図６参照）がトップカバー１４の幅よりも大きくなるように設定されている。但し、幅Ｗは、ＨＤＤの外形寸法規格（例えば、ＳＦＦ規格）の範囲内に形成さている。２．５インチＨＤＤの場合、Ｗ＝６９．８５±０．２５mmに設定さていることから、ベース１２の最大幅Ｗは７０．１mm以内に設定している。  
上記のように突出部５０ａを設けることにより、この突出部５０ａにおいて、長辺壁１３ａの上端面の幅を広く（厚く）することができ、長辺壁１３ａの他の部分の上端面幅と同等あるいは同等以上とすることができる。
【００１８】
図２、図３Ａ、図３Ｂ、図４、および図６に示すように、ガスケット２０は、長辺壁１３ａの突出部５０ａとそれぞれ対応する位置に、突出部５０ａに合わせて外側に屈曲あるいは湾曲して延びる湾曲部２０ａを有している。これにより、ガスケット２０は、側壁１２ｂの突出部５０ａにおいても、側壁１２ｂの上端面の幅方向の中央部に当接する。
【００１９】
一方、図２、図３Ａ、図３Ｂおよび図７に示すように、トップカバー１４の各長側板１４ｂに形成された切欠あるいは開口部６０ａは、２つの突出部５０ａと対応する位置に設けられている。すなわち、２つの切欠あるいは開口部６０ａは、磁気ディスク１６の中心を通りベース１２の短辺壁１３ｂに平行な直線Ｃと交わる位置に設けられている。各切欠あるいは開口部６０ａは、直線Ｃを中心として直線Ｃの両側に等距離だけ延在するように形成されている。長辺壁１３ａの長手方向に沿った開口部６０ａの長さ（幅）Ｄは、２０ｍｍ以下（Ｄ≦２０mm）、例えば、１６ｍｍに形成され、開口部６０ａの高さは、長側板１４ｂの高さに一致している。
【００２０】
図１および図９に示すように、トップカバー１４をベース１２の側壁１２ｂにねじ止めした状態では、ベース１２の突出部５０ａは、それぞれトップカバー１４の各長側板１４ｂの開口部６０ａ内に収容され、この開口部６０ａを通して長側板１４ｂの外側に延出している。すなわち、トップカバー１４の長側板１４ｂは、突出部５０ａを除いて、側壁１２ｂに対向している。同時に、図４に示したように、突出部５０ａにおいて、ガスケット２０は、トップカバー１４の天井板１４ａと側壁１２ｂの上端面との間に挟まれて圧縮され、突出部５０ａの部分の気密性を保持する。
【００２１】
上記構成のＨＤＤにおいて、トップカバー１４の切欠あるいは開口部６０ａの長さ（幅）Ｄを大きくする程、トップカバー１４の剛性が低下し、ガスケット２０圧縮時の反力によってトップカバー１４が膨らみやすくなる。そのため、実質的なガスケット圧縮率が低下してしまう。シミュレーションによれば、開口部６０ａの幅Ｄが２０mmを超えると、所望のガスケット圧縮量に対して実際の圧縮量が半分以下となり、ガスケットによる気密性が損なわれる。したがって、トップカバー１４の開口部６０ａの長さ（幅）ＤはＤ≦２０mm であることが望ましい。本実施形態では、前述したように、Ｄ＝１６mmとしている。また、開口部６０ａに合わせて、２．５インチＨＤＤの外形寸法規格を超えない範囲で、ベース１２の幅を広げている。
【００２２】
本実施形態によれば、図１および図２に示すように、ＨＤＤは、トップカバー１４に設けられたダンパー７０を備えている。ダンパー７０は、例えば、ステンレス等の金属板により構成されている。ダンパー７０は、円弧形状あるいはＣ字形状に形成されている。ダンパー７０は、トップカバー１４の板厚よりも厚い板厚を有している。
【００２３】
図２ないし図４に示すように、トップカバー１４の天井板１４ａは、ベース１２側に凹んだ円弧状あるいはほぼＣ字形状の第１凹所７２と、ベース１２から離れる方向に凹んだ（突出した）第２凸部７４とを有している。第１凹所７２および第２凸部７４は、トップカバー１４をプレス加工する際、同時に、絞り加工により形成される。第１凹所７２は、スピンドルモータ２３の中心部と対向する領域を除いて、この中心部を囲むように形成されている。また、第１凹所７２は、磁気ヘッドの移動経路を除いて、磁気ディスク１６の表面と対向する領域に形成されている。このような第１凹所７２を設けることにより、トップカバー１４と磁気ディスク１６の表面との間の隙間を小さくしている。また、第２凸部７４は、磁気ディスク１６の中心部、磁気ヘッドの移動経路、キャリッジアッセンブリ２２、ＶＣＭ２６、ランプロード機構２５、ラッチ機構２６等と対向する領域に形成されている。
【００２４】
ダンパー７０は、第１凹所７２と同一あるいは相似の形状を有し、第１凹所７２内に配置されている。ダンパー７０は、例えば、接着剤により、トップカバー１４に貼り付けられている。ダンパー７０は、磁気ディスク１６の表面に対向して配置されている。ダンパー７０は、トップカバー１４を補強しているとともに、磁気ディスク１６の回転に伴うトップカバー１４の振動を減衰するように作用する。  
本実施形態において、ダンパー７０は、それぞれトップカバー１４の開口部６０ａに隣接して位置する一対の側縁部７０ａを有している。同様に、第１凹所７２は、それぞれトップカバー１４の開口部６０ａに隣接して位置する一対の絞り側縁部（あるいは段差部）７２ａを有している。図１ないし図３Ａ、図４、図７、図９に示すように、これらダンパー７０の側縁部７０ａおよび第１凹所７２の絞り側縁部７２ａは、ガスケット２０に隣接し、ガスケット２０とほぼ平行に延在している。本実施形態では、側縁部７０ａおよび絞り側縁部７２ａにおいて、ガスケット２０の湾曲部２０ａと対向する領域は、湾曲部２０ａと同心の円弧状に形成されている。これにより、ダンパー７０および絞り側縁部７２ａは、トップカバー１４の開口部６０ａを含む領域を補強している。
【００２５】
以上のように構成されたＨＤＤによれば、ベース１２の側壁１２ｂの壁厚薄部に突出部５０ａを設けることにより、壁厚薄部の幅を装置外形寸法制約上限まで広げることができ、側壁の肉厚を増加させることが可能となる。また、突出部５０ａを切削加工により形成することで、寸法公差を減らせるため、さらに側壁の肉厚増加を期待できる。このように側壁の壁厚を増加することにより、ベース１２の鋳造性を改善することが可能となる。更に、ガスケット２０との接触面（側壁１２ｂの上端面）の幅が増加し、ガスケット２０との接触領域が増大することから、筐体１０の気密性を向上することができる。また、本実施形態において、ベース１２の各長辺壁１３ａに３つのねじ孔が形成され、中央のねじ孔と長辺壁の長手方向両端部に形成されたねじ孔との間隔は、磁気ディスク１６側の２つのねじ孔間の間隔がキャリッジアッセンブリ２２側のねじ孔間の間隔よりも広くなっている。そして、長辺壁１３ａの突出部５０ａは、間隔が広い方のねじ孔間に設けられているため、これらねじ孔間の領域の気密性を向上することができる。
【００２６】
更に、トップカバー１４にダンパー７０を貼り付けることにより、トップカバー１４の機械的強度を上げることができ、特に、開口部６０ａの形成により低下するトップカバー１４の強度をダンパー７０により補強することができる。本実施形態によれば、開口部６０ａの近傍にダンパー７０の側縁部７０ａおよび絞り側縁部７２ａを設けることにより、開口部６０ａ周囲のトップカバー１４の機械的強度が向上する。そのため、トップカバー１４とベース１２との間にガスケットを挟持する際、ガスケットの反力によるトップカバー１４の変形を抑制し、筐体１０の密閉性を担保することができる。  
以上のことから、本実施形態によれば、ガスケットと筐体との接触面積を充分に確保し、気密性が向上したディスクドライブが得られる。  
なお、第１の実施形態において、ダンパー７０の形状は上述した実施形態に限定されることなく、種々の他の形状を適用可能である。磁気ディスクは、１枚に限らず、必要に応じて、増加可能である。
【００２７】
次に、他の実施形態に係るＨＤＤについて説明する。以下に述べる他の実施形態において、上述した第１の実施形態と同一の部分には、同一の参照符号を付してその詳細な説明を省略あるいは簡略化し、第１の実施形態と異なる部分を中心に説明する。
【００２８】
（第２の実施形態）  
図１０は、第２の実施形態に係るＨＤＤの外観を示す斜視図、図１１は、前記ＨＤＤの一部を拡大して示す斜視図である。  
図１０および図１１に示すように、第２の実施形態では、ダンパー７０は、それぞれトップカバー１４の長辺に沿って延在する一対の側縁部７０ａを有している。これらの側縁部７０ａは、ガスケット２０、およびトップカバー１４の開口部６０ａの形成領域に重ねて配置されている。トップカバー１４の長辺に沿った各側縁部７０ａの長さＬは、少なくとも開口部６０ａの長さＤと等しく形成されている。本実施形態では、各側縁部７０ａの長さＬは、開口部６０ａの長さＤの１．５〜２倍程度に形成されている。各側縁部７０ａは、トップカバー１４の長辺とほぼ面一に延在している。これにより、各側縁部７０ａは、開口部６０ａ全体に重なって配置されている。  
第２の実施形態において、ＨＤＤの他の構成は、前述した第１の実施形態に係るＨＤＤと同一である。
【００２９】
上記のように構成された第２の実施形態によれば、ダンパー７０の側縁部７０ａにより、トップカバー１４の開口部６０ａ近傍領域をより強固に補強することができる。その結果、トップカバー１４をガスケット２０に一層確実に押し付け、気密性を上げることが可能となる。  
なお、ダンパー７０の側縁部７０ａの長さは、開口部６０ａの長さＤ以上の場合に限らず、開口部６０ａの長さＤよりも短くすることが可能である。側縁部７０ａにより開口部６０ａの近傍領域の少なくとも一部分を覆うことにより、トップカバー１４の強度を上げることが可能である。
【００３０】
（第３の実施形態）  
図１２は、第３の実施形態に係るＨＤＤを示す斜視図、図１３は、前記ＨＤＤの分解斜視図である。  
図１２および図１３に示すように、第３の実施形態では、筐体１０を構成するベース１２の長辺壁１３ａは、ラッチ機構２６に隣接する側壁部分（第２部分）と、この側壁部分から長辺壁１３ａの外側に突出あるいは膨出する第２突出部５０ｂとを一体に有している。第２突出部５０ｂは、突出部５０ａと同一の構成を有している。また、トップカバー１４の長側板１４ｂに、第２突出部５０ｂを収容する切欠あるいは第２開口６０ｂを形成している。第２開口６０ｂの形状および大きさは、前述した開口部６０ａと同様である。更に、ガスケット２０は、長辺壁１３ａの第２突出部５０ｂと対応する位置に、第２突出部５０ｂに合わせて外側に屈曲あるいは湾曲して延びる第２湾曲部２０ｂを有している。これにより、ガスケット２０は、側壁１２ｂの第２突出部５０ｂにおいても、側壁１２ｂの上端面の幅方向の中央部に当接する。  
ＨＤＤの他の構成は、前述した第１の実施形態に係るＨＤＤと同一である。
【００３１】
以上のように構成された第３の実施形態においても、ラッチ機構２６近傍の長辺壁１３ａに第２突出部５０ｂを設けることにより、この部分の壁厚を厚くし、装置外形寸法規格を超えない範囲でベース側壁を広げることができる。これにより、ベース１２の鋳造性を改善することが可能となる。更に、ガスケット２０との接触面（側壁の上端面）の幅が増加し、筐体の気密性を向上することができる。
【００３２】
（第４の実施形態）  
図１４は、第４の実施形態に係るＨＤＤを示す斜視図である。  
図１４に示すように、第４の実施形態では、筐体１０を構成するベース１２の長辺壁１３ａは、ランプロード機構２５のランプに隣接する側壁部分（第３部分）と、この側壁部分から長辺壁１３ａの外側に突出あるいは膨出する第３突出部５０ｃとを一体に備えている。第３突出部５０ｃは、突出部５０ａと同一の構成を有している。また、トップカバー１４の長側板１４ｂに、第３突出部５０ｃを収容する切欠あるいは第３開口部６０ｃを形成している。第３開口部６０ｃの形状および大きさは、前述した開口部６０ａと同様である。更に、ガスケット２０は、長辺壁１３ａの第３突出部５０ｃと対応する位置に、第３突出部５０ｃに合わせて外側に屈曲あるいは湾曲して延びる第３屈曲部を有している。これにより、ガスケット２０は、側壁１２ｂの第３突出部５０ｃにおいても、側壁１２ｂの上端面の幅方向の中央部に当接する。  
ＨＤＤの他の構成は、前述した第１の実施形態に係るＨＤＤと同一である。
【００３３】
以上のように構成された第４の実施形態によれば、ランプロード機構２５近傍の長辺壁１３ａに第３突出部５０ｃを設けることにより、この部分の壁厚を厚くし、装置外形寸法規格を超えない範囲でベース側壁を広げることができる。これにより、ベース１２の鋳造性を改善することが可能となる。更に、ガスケット２０との接触面（側壁の上端面）の幅が増加し、筐体の気密性を向上することができる。
【００３４】
本発明は上記実施形態あるいは変形例そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
前述した第１の実施形態において、ベースの突出部は、一対の長辺壁の両方に突出部を設けているが、これに限らず、片方の長辺壁のみに突出部を設けた構成としてもよい。この場合においても、鋳造性の向上および気密性の向上を図ることができる。また、第２の実施形態および第３の実施形態において、突出部は、第２突出部のみ、あるいは、第３突出部のみを設ける構成としてもよい。  
磁気ディスクは１枚に限らず、２枚以上としてもよく、磁気ヘッドの数も磁気ディスクの設置枚数に応じて増減すればよい。磁気ディスクは、２．５インチに限らず、他の大きさのディスクを用いてもよい。ディスク装置を構成する要素の材料、形状、大きさ等は、上述した実施形態に限定されることなく、必要に応じて種々変更可能である。
【符号の説明】
【００３５】
１０…筺体、１２…ベース、１２ａ…底壁、１２ｂ…側壁、１４…トップカバー、  
１４ａ…天井板、１４ｂ…長側板、１４ｃ…短側板、１６…磁気ディスク、  
１８…スピンドルモータ、２０…ガスケット（シール部材）、２０ａ…湾曲部、  
２２…キャリッジアッセンブリ、５０ａ…突出部、５０ｂ…第２突出部、  
５０ｃ…第３突出部、６０ａ…開口部、６０ｂ…第２開口部、６０ｃ…第３開口部
【図１】
2018160299.tif 000003
【図２】
2018160299.tif 000004
【図３Ａ】
2018160299.tif 000005
【図３Ｂ】
2018160299.tif 000006
【図４】
2018160299.tif 000007
【図５】
2018160299.tif 000008
【図６】
2018160299.tif 000009
【図７】
2018160299.tif 000010
【図８】
2018160299.tif 000011
【図９】
2018160299.tif 000012
【図１０】
2018160299.tif 000013
【図１１】
2018160299.tif 000014
【図１２】
2018160299.tif 000015
【図１３】
2018160299.tif 000016
【図１４】
2018160299.tif 000017